(57)【要約】【課題】開梱作業を容易に行なうことができる包装箱を提供する。【解決手段】  包装箱１は、所謂ラップアラウンドケースであり、内フラップ１０，１１は、両側壁板４，５の各左右側縁の上端から所定の距離を存して設けられ、各側壁板４，５には、側壁板４，５を左右方向に破断可能とする破断可能線１２，１３が設けられ、破断可能線１２，１３の両端は、該側壁板の一方側縁の内フラップ非連設部１０ａ，１１ａから他方側縁の内フラップ非連設部１０ａ，１１ａまで達する。【選択図】図１
2017095136.tif 000002
【特許請求の範囲】
【請求項１】
段ボール板紙によって形成され、
矩形状の底板の前後側縁にそれぞれ折目線を介して連設され、該折目線に沿って上方に折り曲げられて起立された一対の側壁板と、
一方の側壁板の上端縁に折目線を介して連設され、他方の側壁板に向かうように該折目線に沿って前記底板に平行に折り曲げられた天板と、
両側壁板の各左右側縁に折目線を介して一対ずつ連設され、互いに該折目線に沿って内方に折り曲げられた内フラップと、
前記底板の各左右側縁に折目線を介して一対ずつ連設され、該折目線に沿って内方に折り曲げられて前記内フラップに固定された下部外フラップとを備える包装箱において、
前記内フラップは、両側壁板の各左右側縁の上端から所定の距離を存して設けられ、
各側壁板には、該側壁板を左右方向に破断可能とする破断可能線が設けられ、
該破断可能線の両端は、該側壁板の一方側縁の内フラップ非連設部から他方側縁の内フラップ非連設部まで達することを特徴とする包装箱。
【請求項２】
請求項１記載の包装箱であって、
前記破断可能線は、前記各側壁板の左右側縁から夫々連設された内フラップの上端より下方において、該左右側縁を結ぶ第１の破断可能線と、該第１の破断可能線の各端部から隣接する前記内フラップの上端までを結ぶ第２の破断線とからなることを特徴とする包装箱。
【請求項３】
請求項１又は２記載の包装箱であって、
前記天板は、該天板の各左右側縁に折目線を介して一対ずつ連設され、該折目線に沿って内方に折り曲げられて、先端部が前記下部外フラップまたは内フラップの内面に係止された上部外フラップを備えることを特徴とする包装箱。
【請求項４】
請求項３記載の包装箱であって、
前記上部外フラップの先端は、前記下部外フラップの先端または前記内フラップの上端と接するように形成されていることを特徴とすることを特徴とする包装箱。
【請求項５】
請求項３または４に記載の包装箱であって、
前記下部外フラップに固定されている両内フラップの先端は、所定の距離を存するように設けられ、
前記上部外フラップの先端には、舌片が設けられ、
該舌片は、前記両内フラップの間隙に嵌合されるともに前記下部外フラップの内面よって係止されることを特徴とすることを特徴とする包装箱。
【発明の詳細な説明】
【技術分野】
【０００１】
本発明は、胴部に開封用の破断可能線が形成された包装箱に関する。
【背景技術】
【０００２】
従来、打抜かれた段ボール板紙上に内容物を載せ、該内容物を包み込むように段ボール板紙を折り曲げて、箱の組立てと同時に内容物の包装が完了するラップアラウンドケースと言われる包装箱が知られている。この種の包装箱は、底板と、該底板の上方に対向する天板と、底板の両側に起立する一対の側壁板とによって胴部が形成され、該胴部の両端においては、側壁板の両側に連設された各内フラップと、底板及び天板に連設された各外フラップとによって閉塞される。
【０００３】
そして、この種の包装箱においては、各内フラップの先端縁から側壁板にわたって破断用テープを設け、該側壁板に形成されたＨ字状の切れ目による破断開始部から両側壁板及び隣接する両内フラップを破断用テープにより左右に切り裂いて上半部を取り去ることで、該下半部がトレイ状に開梱される。しかしながら、箱全周にわたって破断した際には両側壁板について一対ずつ帯状の破断屑が発生するので、破断屑の処理が煩わしい。
【０００４】
そこで、破断用テープに替えて一本の破断可能線が設けられた包装箱が知られている（特許文献１参照）。この包装箱においては、各破断開始部に手指を挿入して一本の破断可能線を破断開始部から両側壁板及び隣接する両内フラップにわたり順次切り裂いていく。
【先行技術文献】
【特許文献】
【０００５】
【特許文献１】特開２０１４−３７２５４号公報
【発明の概要】
【発明が解決しようとする課題】
【０００６】
しかしながら、該側壁板と該内フラップとを切り裂くためには、例えば、各破断開始部に手指を挿入して、該側壁板から離間する斜め上方向に引っ張って側壁板を切り裂いた後に、方向を変えて、該側壁板の延長線に接近する斜め上方向に引っ張って内フラップを切り裂くというように、引っ張る方向を変化させながら行う必要があり、開梱作業が容易ではないという不都合がある。
【０００７】
上記の点に鑑み、本発明は、開梱作業を容易に行なうことができる包装箱を提供することを目的とする。
【課題を解決するための手段】
【０００８】
かかる目的を達成するために、本発明の包装箱は、段ボール板紙によって形成され、矩形状の底板の前後側縁にそれぞれ折目線を介して連設され、該折目線に沿って上方に折り曲げられて起立された一対の側壁板と、一方の側壁板の上端縁に折目線を介して連設され、他方の側壁板に向かうように該折目線に沿って前記底板に平行に折り曲げられた天板と、両側壁板の各左右側縁に折目線を介して一対ずつ連設され、互いに該折目線に沿って内方に折り曲げられた内フラップと、前記底板の各左右側縁に折目線を介して一対ずつ連設され、該折目線に沿って内方に折り曲げられて前記内フラップに固定された下部外フラップとを備える包装箱において、前記内フラップは、両側壁板の各左右側縁の上端から所定の距離を存して設けられ、各側壁板には、該側壁板を左右方向に破断可能とする破断可能線が設けられ、該破断可能線の両端は、該側壁板の一方側縁の内フラップ非連設部から他方側縁の内フラップ非連設部まで達することを特徴とする。
【０００９】
本発明の包装箱の内フラップは、両側壁板の各左右側縁の上端から所定の距離が内フラップ非連設部とされ、この内フラップ非連設部の下端から下方に内フラップが設けられている。そして、本発明の包装箱には、該側壁板の一方側縁の内フラップ非連設部から他方側縁の内フラップ非連設部まで破断可能線が設けられているため、側壁板は両内フラップ非連設部にわたって破断される。本発明の包装箱は、側壁板のみによって上半部と下半部とが連結されているため、該破断をするだけで、包装箱を上判部と下半部とに分離することができる。
【００１０】
したがって、本発明の包装箱によれば、開梱作業を容易に行なうことができる。
【００１１】
ところで、破断可能線の端部は、側壁板の左右側縁に露出した状態で端部に形成されていると、例えば組み立ての際に、底板に対して側壁板を起立させたときに天板の荷重に耐えきれず破断可能線が端部から破断されてしまうことがある。
【００１２】
そこで、本発明の包装箱において、前記破断可能線は、前記各側壁板の左右側縁から夫々連設された内フラップの上端より下方において、該左右側縁を結ぶ第１の破断可能線と、該第１の破断可能線の各端部から隣接する前記内フラップの上端までを結ぶ第２の破断可能線とからなることが好ましい。
【００１３】
これによれば、破断開始線は、側壁板のうち左右に連設された内フラップに挟まれる領域に形成されるため、組み立ての際に、破断可能線が端部から破断されることを防止することができる。
【００１４】
また、本発明の包装箱において、前記天板は、該天板の各左右側縁に折目線を介して一対ずつ連設され、該折目線に沿って内方に折り曲げられて、先端部が前記下部外フラップまたは内フラップの内面に係止された上部外フラップを備えることが好ましい。
【００１５】
これによれば、上部外フラップによって下部外フラップの上方を閉塞することができるとともに、上部外フラップの先端部は前記下部外フラップまたは内フラップの内面に係止されているため、前記破断可能線を破断するだけで包装箱を上半部と下半部とに分離でき、開梱作業を容易に行なうことができる。
【００１６】
また、前記上部外フラップの先端は、前記下部外フラップの先端または前記内フラップの上端と接するように形成されていることが好ましい。
【００１７】
これによれば、包装箱の側面において、上部外フラップが下部外フラップ又は内フラップに係止されることで支持されるため、耐圧強度を得ることができるとともに、開梱作業を容易に行なうことができる。
【００１８】
また、本発明の包装箱において、前記下部外フラップに固定されている両内フラップの先端は、所定の距離を存するように設けられ、前記上部外フラップの先端には、舌片が設けられ、該舌片は、前記両内フラップの間隙に嵌合されるともに前記下部外フラップの内面よって係止されることが好ましい。
【００１９】
これによれば、上部外フラップの舌片が、両内フラップの間隙に嵌合して支持されるため、さらに耐圧強度を得ることができるとともに、開梱作業を容易に行なうことができる。
【図面の簡単な説明】
【００２０】
【図１】本発明の包装箱の一実施形態を示す斜視図。
【図２】図１の包装箱の展開状態の平面図。
【図３】図１の包装箱の開梱工程を示す説明的側面図。
【図４】包装箱を開梱した後の上半部及び下半部を示す斜視図。
【発明を実施するための形態】
【００２１】
本発明の一実施形態を図面に基づいて説明する。本実施形態の包装箱１は、図１に示すように、外観が直方体状に形成され、内部に図示しない内容物が収納されている。
【００２２】
包装箱１は、所謂ラップアラウンドケースであり、図２に示すように、大略矩形状に打抜いて形成された段ボール板紙２により組み立てられる。
【００２３】
段ボール板紙２は、底板３と、底板３の前側縁に折目線ａを介して連設された前側壁板４と、底板３の後側縁に折目線ｂを介して連設された後側壁板５と、後側壁板５の上側縁に折目線ｃを介して連設された天板６とを備えている。また、前側壁板４の上側縁には、折目線ｄを介して接着片７が連設されている。
【００２４】
底板３の左右側縁には、一対の下部外フラップ８が折目線ｅを介して連設されており、天板６の左右側縁には、一対の上部外フラップ９が折目線ｆを介して連設されている。下部外フラップ８は略矩形状に形成されている。他方、上部外フラップ９は略六角形状であり、夫々の先端部に舌片９ａが形成されている。
【００２５】
前側壁板４と後側壁板５との夫々の左右側縁の一部には、一対の内フラップ１０,１１が折目線ｇ，ｈを介して連設されている。
【００２６】
なお、前側壁板４と後側壁板５との夫々の左右側縁のうち、その上端から内フラップ１０,１１の上端までの領域１０ａ，１１ａが、本発明における内フラップ非連設部に相当する。
【００２７】
また、前側壁板４と後側壁板５との夫々の内方には、横方向に延びる折目線ｉ，ｊが設けられている。該折目線ｉ，ｊの夫々の各端部は、内フラップ非連設部１０ａ，１１ａに夫々直交するように延びている。
【００２８】
更に、前側壁板４及び後側壁板５の夫々には、上半部を分離する際に、前側壁板４及び後側壁板５の夫々から遊離される破断可能部４ａ，５ａが設けられている。
【００２９】
破断可能部４ａ，５ａは、直線状の不連続な複数の切れ目による所謂ミシン目（図中では、破線を用いることなく実線で示す。）によって構成されることで破断可能な第１破断可能線１２及び第２破断可能線１３によって、夫々形成されている。なお、第１破断可能線１２と一対の第２破断可能線１３とを合わせたものが、本発明の破断可能線に相当する。
【００３０】
第１破断可能線１２は、前側壁板４及び後側壁板５の夫々を、大略上下方向に分割するように、下方向に湾曲しつつ、その両端部が対向する内フラップ１０，１１の夫々の基端部を結ぶように延びている。
【００３１】
第２破断可能線１３は、第１破断可能線１２の各端部と該端部に隣接する内フラップ非連設部１０ａ，１１ａの下端とを折目線ｇ，ｈに沿って破断可能に連結する。
【００３２】
前側壁板４及び後側壁板５の夫々には、各第１破断可能線１２に沿う折目線ｒと、該折目線ｒから各第１破断可能線１２に向かうに従い互いに離間するように傾斜して延びる一対のミシン線ｓと、一対のミシン線ｓに挟まれる第１破断可能線１２の一部（以下、破断開始部１２ａという。）とで囲まれた手指差込部１４が形成されている。
【００３３】
手指差込部１４は、手指を差し込んで破断開始部１２ａ、ミシン線ｓを破断することにより、折目線ｒに沿って折り曲げ自在とされている。
【００３４】
下部外フラップ８の中央近傍には、把持孔１５を形成するための切れ目ｔ１と折目線ｕ１，ｕ２，ｕ３が略五角形状に設けられ、折目線ｕ１の両端部を湾曲して結んで延びる切れ目ｔ２と、折目線ｕ２，ｕ３の接点から折目線ｕ１に直交するように延びる切れ目ｔ３とを備えている。
【００３５】
また、内フラップ１０,１１の先端には、包装箱１を形成した際に該把持孔１５と重合する箇所に対応して、切れ目ｖ１，ｖ２及び折目線ｗ１，ｗ２が形成されている。
【００３６】
把持孔１５は、切れ目ｔ１，ｔ２，ｔ３，ｖ１，ｖ２を備えるため、以下説明するよう包装箱１を形成した後に、手指を差し込んで折目線ｕ１，ｕ２，ｕ３，ｗ１，ｗ２に沿って折り曲げることで形成される。
【００３７】
以上の構成による図２示の段ボール板紙２から図１示の包装箱１を形成するときには、図２示の段ボール板紙２の状態で、その底板３上に図示しない複数の内容物が整列して載置され、まず、前側壁板４及び後側壁板５が各折目線ａ，ｂを介して起立される。
【００３８】
このとき、第１破断可能線１２は、前側壁板４及び後側壁板５の夫々を、大略上下方向に分割するように左右に延びているが、その両端部は左右端縁に露出しないため、誤って該端部が破断されることを防止することができる。
【００３９】
次いで、図１に示すとおり、両側壁板４，５の両側の各内フラップ１０，１１が各折目線ｇ，ｈを介して底板３の両側縁に沿って折り曲げられ、底板３の両側に連設された下部外フラップ８が折目線ｅを介して起立されると共に、各内フラップ１０，１１の外面に接着剤を介して接着される。
【００４０】
続いて、接着片７が折目線ｉ，ｄを介して水平に折り曲げられ、天板６が折目線ｊ，ｃを介して底板３と平行に折り曲げられ、天板６が接着片７に接着剤を介して接着される。
【００４１】
その後、天板６の両側に連設された上部外フラップ９が折目線ｈを介して下方に折り曲げられると共に、上部外フラップ９の先端部に設けられた舌片９ａが、下部外フラップ８の内側であって、対向する内フラップ１０，１１の間隙に差し込まれ、内容物の包装が完了すると同時に図１示の包装箱１が形成される。
【００４２】
なお、このとき、舌片９ａ以外の上部外フラップ９の先端部は、内フラップ１０，１１の上端部と当接されている。そして、舌片９ａは、左右側縁が内フラップ１０，１１の先端と当接されており、外面が下部外フラップ８の内面と当接している。
【００４３】
また、内フラップ非連設部１０ａ，１１ａは、前側壁板４及び後側壁板５が折目線ｉ，ｊで折り曲げられることで、上部外フラップ９の左右側縁に当接されている。このため、本実施形態の包装箱１は、内フラップ１０，１１と上部外フラップ９とが接着されていなくても、十分な耐圧強度を備えることができる。
【００４４】
次に、本実施形態の包装箱１の開梱作業を説明する。
【００４５】
まず、図３に示すように、前側壁板４に形成された手指差込部１４を破断開始部１２ａ及びミシン線ｓに沿って破断すると共に、折目線ｒに沿って折り曲げ、内側に押しこむことにより、指掛け部１６を形成する。
【００４６】
該指掛け部１６に手指等を挿入し、破断可能部４ａの内面に指を掛け、上方向かつ前側壁板４から離間する方向に引っ張り上げることで、第１破断可能線１２が中央から左右に向けて破断が進行する。さらに、破断可能部４ａを引っ張ることで、該第１破断可能線１２の破断が完了すると、該第１破断可能線１２の両端部から各上方向に第２破断可能線１３が夫々延びているので、次いで該第２破断可能線１３が破断される。これにより、破断可能部４ａが前側壁板４から遊離する。
【００４７】
次に、同様に、後側壁板５の第１破断可能線１２及び第２破断可能線１３を破断させ、破断可能部５ａを遊離させる。なお、前側壁板４及び後側壁板５の破断は、順不同であり同時に破断させてもよい。
【００４８】
そして、上部外フラップ９は他の部分に接着されていないため、図４に示すように、包装箱１の上半部１ａは、上に引き上げることで、舌片９ａが対向する内フラップ１０，１１の間隙から引き抜かれ、下半部１ｂと分割される。
【００４９】
下半部１ｂは、図４に示すように、底板３を有し、四方を下部外フラップ８，８及び前後側壁板４，５の下部より囲まれたトレイ状となる。
【００５０】
なお、例えば、店舗における内容物の販売のために包装箱１を移動する場合、把持孔１５は、そのまま運搬用の把持部として利用することができる。
【００５１】
このように、包装箱１は、指掛け部１６に指を掛けて上方に引っ張るだけでトレイ状に開梱できる。
【００５２】
なお、本発明の破断可能線は、本実施形態に限るものではなく、両端が内フラップ非連設部１０ａ，１１ａに達していれば、どのような構成であってもよい。したがって、本実施形態のように２本の破断可能線で構成することなく、内フラップ非連設部１０ａ，１１ａの夫々を繋ぐ１本の直線又は曲線からなる１本の破断可能線で構成してもよい。
【００５３】
なお、本実施形態では、上部外フラップ９を略六角形状とし、それに沿うように前後側壁板４，５に折目線ｉ，ｊを設けているが、本発明の包装箱はこれに限らず、上部外フラップ９を略矩形状とし、前後側壁板４，５に折目線ｉ，ｊを設けずに、通常の略直方体形状に形成してもよい。
【００５４】
なお、本実施形態の上部外フラップ９の先端部（舌片９ａを除く部分）は、内フラップ１０，１１の上端部と当接されているが、本発明の包装箱はこれに限らず、本実施形態の上部外フラップ９の先端部（舌片９ａを除く部分）が下部外フラップ８の上端部と当接して、舌片９ａは内側に折り曲げられながら下部外フラップ８の内面側に差し込まれるように構成してもよい。
【００５５】
なお、本実施形態の舌片９ａは、左右側縁が内フラップ１０，１１の先端と当接されており、外面が下部外フラップ８の内面と当接しているが、本発明の包装箱はこれに限らず、舌片９ａの外面が内フラップ１０，１１の内面と当接するように形成してもよい。
【符号の説明】
【００５６】
１…包装箱、２…段ボール板紙、３…底板、４…前側壁板、５…後側壁板、６…天板、８…下部外フラップ、９…上部外フラップ、９ａ…舌片、１０，１１…内フラップ、１０ａ，１１ａ…内フラップ非連設部、１２…第１破断可能線、１３…第２破断可能線、ａ，ｂ，ｃ，ｅ，ｆ，ｇ，ｈ…折目線。
【図１】
2017095136.tif 000003
【図２】
2017095136.tif 000004
【図３】
2017095136.tif 000005
【図４】
2017095136.tif 000006